(57)【要約】【課題】地面にタンク設置用のスペースを確保し難い場合でも、竪樋を流れる雨水を取り出して貯留することができる雨水貯留装置を提案すること。【解決手段】本発明の雨水貯留装置は、竪樋４に取り付けられて、竪樋４を流れる雨水を取り出す取水器１と、この取水器１で取り出した雨水が貯められるタンク２と、取水器１とタンク２とを着脱自在に連結させる連結具３とを備える。この連結具３は、タンク２を地面から浮いた状態で取水器１に連結させるものである。【選択図】図１
2015001057.tif 000002
【特許請求の範囲】
【請求項１】
竪樋に取り付けられて、この竪樋を流れる雨水を取り出す取水器と、この取水器で取り出した雨水が貯められるタンクと、前記取水器と前記タンクとを着脱自在に連結させる連結具と、を備え、
前記連結具は、前記タンクを地面から浮いた状態で前記取水器に連結させるものであることを特徴とする雨水貯留装置。
【発明の詳細な説明】
【技術分野】
【０００１】
本発明は、竪樋を流れる雨水を取り出して貯留する雨水貯留装置に関するものである。
【背景技術】
【０００２】
特許文献１には、竪樋から雨水を取り出してタンクに貯留する設備が開示されている。
【０００３】
この設備は、竪樋から雨水を取り出す雨水分岐部材と、取り出した雨水を貯留するタンクとを備える。
【０００４】
雨水分岐部材は、竪樋の途中に設けられ、タンクは地面に設置され、雨水分岐部材とタンクとは、ホースを介して接続されている。
【先行技術文献】
【特許文献】
【０００５】
【特許文献１】特開２０１３−７９５７５号公報
【発明の概要】
【発明が解決しようとする課題】
【０００６】
ところで、特許文献１等に開示される雨水を貯留するタンクは、比較的大容量のものが多い。そのため、狭小地などでは、大容量のタンクを地面に設置することが難しく、竪樋を流れる雨水を取り出して貯留する設備を利用することが困難であるという問題があった。
というけんしきそうち  上記事情を鑑みて、本発明は、地面にタンク設置用のスペースを確保し難い場合でも、竪樋を流れる雨水を取り出して貯留することができる雨水貯留装置を提案することを課題とする。
【課題を解決するための手段】
【０００７】
上記課題を解決するための本発明の雨水貯留装置は、竪樋に取り付けられて、この竪樋を流れる雨水を取り出す取水器と、この取水器で取り出した雨水が貯められるタンクと、前記取水器と前記タンクとを着脱自在に連結させる連結具と、を備え、前記連結具は、前記タンクを地面から浮いた状態で前記取水器に連結させるものであることを特徴とする。
【発明の効果】
【０００８】
本発明の雨水貯留装置は、連結具によってタンクを地面から浮いた状態で取水器に連結させることができる。これにより、本発明の雨水貯留装置では、地面にタンク設置用のスペースを確保し難い場合でも、竪樋に取り付けられた取水器にタンクを連結して、竪樋を流れる雨水を取り出して貯めることができる。
【図面の簡単な説明】
【０００９】
【図１】本発明の実施形態の雨水貯留装置を示す正面図である。
【図２】同上の雨水貯留装置の取水器と連結具を示す分解斜視図である。
【図３】同上の雨水貯留装置の取水器とタンクの連結箇所を示す正面断面図である。
【発明を実施するための形態】
【００１０】
以下、本発明の実施形態の一例を添付図面に基づいて説明する。
【００１１】
図１に示すように、本実施形態の雨水貯留装置は、竪樋４に取り付けられて、この竪樋４を流れる雨水を取り出す取水器１と、この取水器１で取り出した雨水が貯められるタンク２と、取水器１とタンク２とを着脱自在に連結させる連結具３とを備える。この連結具３は、タンク２を地面から浮いた状態で取水器１に連結させるものである。
【００１２】
取水器１は、竪樋４の長手方向の一部に取り付けられる。詳しくは、取水器１は、取水器１に連結されたタンク２が地面から離れた箇所に位置するような高さ位置に配される。なお、この高さ位置は、設置環境に合わせて適宜設定可能である。
【００１３】
取水器１は、上竪樋４０と下竪樋４１との間に装着される。上竪樋４０は、建物の屋根に降った雨水を集めて流す軒樋（図示せず）に接続されている。上竪樋４０と下竪樋４１はそれぞれ、複数の止め具（図示せず）によって建物の外壁に固定されている。複数の止め具は、上下方向に互いに間隔をあけて設置されている。この複数の止め具によって、上竪樋４０及び下竪樋４１は、長手方向に亘って水平方向の位置が固定される。下竪樋４１の下端部は、地面に直接載置されるか、あるいは支持部材（図示せず）を介して地面に間接的に載置される。これにより、下竪樋４１の自重及び下竪樋４１にかかる下向きの荷重は地面で受けられる。
【００１４】
なお、下竪樋４１は、その下端部が地面から離れるように複数の止め具によって建物の外壁に固定されるようにしてもよい。この場合、下竪樋４１の自重及び下竪樋４１にかかる下向きの荷重は、複数の上記止め具によって受けられる。
【００１５】
取水器１は、上竪樋４０から下竪樋４１へと流れる雨水を取水器１の外側へ取り出す構造のものである。取水器１は、その底部に雨水取出口１０を有する。取水器１は、上竪樋４０から下竪樋４１に向かって流れる雨水を、上竪樋４０と下竪樋４１との間で受けて、この雨水を雨水取出口１０から排出する。雨水取出口１０は、取水器１の底部から下方に向けて突出する筒状のものである。
【００１６】
取水器１としては、例えば、図２に示す構造のものが用いられる。
【００１７】
取水器１は、上竪樋４０と下竪樋４１とを連通させる継手筒部１１と、この継手筒部１１で受けた雨水が流入する雨水取出部１２と、継手筒部１１の上部開口と雨水取出部１２の上部開口を閉塞する蓋１３と、を備える。継手筒部１１と雨水取出部１２は、樹脂で一体に成形される。
【００１８】
蓋１３は、継手筒部１１の上端部及び雨水取出部１２の上端部に着脱自在に装着される。蓋１３のうち、継手筒部１１の上端部に取り付けられる部位には、上下方向に貫通する角孔１４が形成されている。この角孔１４には、アタッチメント５が装着可能である。
【００１９】
アタッチメント５には、上下方向に貫通する丸孔５０が形成されている。アタッチメント５は、蓋１３に挿通される上竪樋４０の下端部が丸筒状である場合に、蓋１３の角孔１４に装着される。このとき、上竪樋４０の下端部が丸孔５０に挿入される。また、上竪樋４０の下端部が角筒状である場合には、角孔１４にはアタッチメント５が装着されずに、上竪樋４０の下端部が角孔１４に直接挿入される。
【００２０】
上竪樋４０の下端部は、角孔１４あるいは丸孔５０に略隙間なく嵌め込まれる。これにより、蓋１３は、挿通された上竪樋４０の下端部に対して水平方向の位置が固定される。つまり、継手筒部１１及び雨水取出部１２に装着された蓋１３に、上竪樋４０の下端部が挿通されることで、取水器１は上竪樋４０の下端部に連結されて、取水器１の上端部の水平方向の位置が固定される。
【００２１】
継手筒部１１は、雨水取出部１２側に開口する平断面略Ｕ字状の側壁１１０と、継手筒部１１の内部空間を上下に分ける板状の仕切り部１５と、を有する。この仕切り部１５からは上方に向けて上内筒部１６が突出している。また、仕切り部１５からは下方に向けて下内筒部１７が突出している。仕切り部１５には、上下方向に貫通する連通孔（非図示）が設けられている。この連通孔を通じて上内筒部１６と下内筒部１７とは連通している。
【００２２】
上内筒部１６は、筒状であり、上竪樋４０の下端部よりも径の小さいものとなっている。言い換えると、上内筒部１６は、上方から視て、上竪樋４０の下端部の内側に位置するように形成される。これにより、上竪樋４０の内周面を伝って流れる雨水の大半は、上内筒部１６の周囲の仕切り部１５に落下する。
【００２３】
下内筒部１７は、円筒状である。この下内筒部１７の外周面と、継手筒部１１の外殻のうち下内筒部１７の外側に位置する部位の内周面と、仕切り部１５の下面のうち下内筒部１７の周囲の部位とで、下方に向けて開口する差込溝１８が形成される。この差込溝１８には、下竪樋４１の上端部が差し込まれる。このとき、下竪樋４１の上端部は下内筒部１７の外周を覆う。そして、下竪樋４１の上端面は、仕切り部１５の下面のうち下内筒部１７の周囲の部位に当接される。
【００２４】
つまり取水器１は、下竪樋４１の上端面に載置された状態で、下竪樋４１の上端部に連結される。これにより、取水器１は、取水器１の自重と、取水器１にかかる下向き荷重が下竪樋４１によって支えられる。
【００２５】
なお、上記連結状態において、下内筒部１７の外周面に下竪樋４１の上端部の内周面が周方向に亘って当接することで、取水器１の下端部の水平方向の位置決めがなされるようにしてもよい。また、上記連結状態において、継手筒部１１の外殻のうち下内筒部１７の外側に位置する部位の内周面に、下竪樋４１の上端部の外周面が周方向に亘って当接することで、取水器１の下端部の水平方向の位置決めがなされるようにしてもよい。
【００２６】
雨水取出部１２は、継手筒部１１側に開口する平断面Ｕ字状の側壁１２０と、この側壁１２０の底部に形成される板状の底壁１２１とを有する。底壁１２１は、平面視半楕円状である。この底壁１２１に、下方に向けて突出する雨水取出口１０が形成されている。底壁１２１には上下方向に貫通する連通孔１２２が設けられており、この連通孔１２２を通じて、雨水取出部１２の内部空間と雨水取出口１０とは連通している。
【００２７】
雨水取出部１２の底壁１２１の上面は、継手筒部１１の上内筒部１６の上端よりも低い箇所に位置している。本実施形態では、底壁１２１の上面は、継手筒部１１の仕切り部１５の上面よりも若干低い箇所に位置している。なお、底壁１２１の上面は、継手筒部１１の仕切り部１５の上面と略面一であってもよい。
【００２８】
また、底壁１２１の継手筒部１１側の端部からは、一対の突出片１２３，１２３が上方に向けて突出している。一対の突出片１２３，１２３は、互いに間隔をおいて配置されており、この一対の突出片１２３，１２３の間が継手筒部１１から雨水取出部１２への雨水の流路となる。なお、この一対の突出片１２３，１２３は、側壁１２０の継手筒部１１側の２つの端部にそれぞれ一体に形成されている。
【００２９】
雨水取出部１２には、フィルタ６が取り付けられる。フィルタ６は、底壁１２１上に載置されて、連通孔１２２を塞ぐ。これにより、継手筒部１１から雨水取出部１２へ流れる雨水中のごみが、そのまま雨水取出口１０から排出されることが防止される。本実施形態では、フィルタ６は、雨水取出部１２の内部空間に対応した形状をなしており、詳しくは、平断面半楕円状の円柱である。フィルタ６は、側壁１２０と一対の突出片１２３，１２３によって水平方向の位置決めがなされている。フィルタ６は、蓋１３を継手筒部１１及び雨水取出部１２から取り外すことで、雨水取出部１２から取り出すことができる。そのため、フィルタ６は、洗浄や交換が可能である。
【００３０】
本実施形態では、取水器１の雨水取出口１０に連結具３が装着されている。連結具３は、図２及び図３に示すように、平面視円環状の上板部３０と、この上板部３０の外周縁から下方に向けて突出した側板部３１とを有する。円筒状をなす側板部３１の内周面には、めねじ３２が形成されている。めねじ３２と雨水取出口１０の外周との間には隙間が空いている。上板部３０の内径は、雨水取出口１０の外径よりも若干大きい。円筒状をなす側板部３１の外周面には、滑り止めが形成されている。
【００３１】
雨水取出口１０には、外側に向けて突出する係止突起１０１が形成されている。係止突起１０１は、連結具３が雨水取出口１０から外れることを防止する突起である。係止突起１０１は、例えば、雨水取出口１０の周方向の全長に亘って形成される。つまり、係止突起１０１は、平面視円環状のものである。なお、係止突起１０１は、雨水取出口１０の周方向の全長に亘って形成されるものに限らず、複数の突起を、雨水取出口１０の周方向に沿って一列に並べたものであってもよい。
【００３２】
連結具３は、雨水取出口１０のうち係止突起１０１よりも上方部位に上板部３０が装着されることで、雨水取出口１０に回転自在に取り付けられる。
【００３３】
タンク２は、樹脂製であって、例えば１０Ｌ〜１５Ｌ程度の小容量のものである。なお、タンク２は、連結具３によって地面から浮かした状態で取水器１に連結できるものであればよく、容量は必ずしも上記範囲に限定されない。図１に示すように、タンク２には、その上端部に給水口２０と取っ手２２が形成されている。
【００３４】
給水口２０は、タンク２の上端部から上方に向けて突出する円筒状のものである。この給水口２０の外周面には、連結具３のめねじ３２に螺合可能なおねじ２１が形成されている。
【００３５】
取っ手２２は、例えば筒状であり、筒の両端がタンク２に接続してあり、筒内がタンク２の内部空間と連通したものである。取っ手２２は、給水口２０よりも下方に位置している。そのため、取っ手２２の内側スペースは、貯水スペースとしても利用することができる。タンク２のうち取っ手２２の下方部位には、取っ手２２を掴む手が通される開口部２３が形成されている。
【００３６】
なお、取っ手２２は、タンク２とは別部材のものを、タンク２に溶着や接着や係止等によって取り付けたものであってもよい。
【００３７】
続いて、本実施形態の雨水貯留設備の設置手順の一例について説明する。
【００３８】
施工者は、建物の外壁に固定されている上竪樋４０の下端部に、蓋１３を装着する。このとき、施工者は、上竪樋４０の下端部が円筒状である場合には、アタッチメント５を介して蓋１３を上竪樋４０の下端部に装着する。また、施工者は、上竪樋４０の下端部が角筒状である場合には、アタッチメント５を外した状態の蓋１３を、上竪樋４０の下端部に装着する。
【００３９】
次いで、施工者は、蓋１３に挿通された上竪樋４０の下端部を、継手筒部１１内に挿入させながら、建物の外壁に固定されている下竪樋４１の上端部に、継手筒部１１の下端部の差込溝１８を差し込ませて、取水器１を下竪樋４１の上端面に載置する。
【００４０】
次いで、施工者は、雨水取出部１２内にフィルタ６を装着する。次いで、施工者は、継手筒部１１及び雨水取出部１２に蓋１３を装着する。
【００４１】
次いで、施工者は、タンク２の給水口２０を取水器１の雨水取出口１０に近付けながら、連結具３を手で持って雨水取出口１０の周方向に沿った一方向に回転させ、タンク２の給水口２０のめねじ２１に連結具３のおねじ３２を螺合させる。このとき、タンク２は連結具３によって地面から浮いた状態で取水器１に連結される。ここで、タンク２が連結された連結具３は、取水器１の雨水取出口１０の係止突起１０１によって、その重量が支えられる。更にいえば、タンク２が連結された取水器１は、下竪樋４１によって、その重量が支えられる。ここで、取水器１は、上竪樋４０の下端部及び下竪樋４１の上端部との連結によって、水平方向に位置ずれし難いようになっている。
【００４２】
以上のようにして設置された本実施形態の雨水貯留装置では、雨が降ると、屋根を伝う雨が軒樋に流入し、この雨水が上竪樋４０へと流入し、上竪樋４０の内周面を伝って流れる雨水が、取水器１の上内筒部１６の周囲の仕切り部１５によって受けられる。そして、仕切り部１５によって受けた雨水は、一対の突出片１２３，１２３間を通過して、雨水取出部１２内に流入する。このとき、フィルタ６によって、雨水中のごみが雨水取出部１２内に流入することが抑制される。雨水取出部１２内に流入した雨水は、連通孔１２２、雨水取出口１０、給水口２０をこの順に通過して、タンク２内へと流れ込んで、タンク２内に貯められる。
【００４３】
なお、タンク２が雨水で満杯になった場合には、継手筒部１１及び雨水取出部１２内に雨水が溜まっていき、上内筒部１６の上端を越えた雨水は、この上内筒部１６から下内筒部１７を通じて、下竪樋４１へと排出される。
【００４４】
使用者は、連結具３を上記一方向とは反対方向に回転操作することで、タンク２を取水器１から取り外すことができる。そして、使用者は取っ手２２を掴んでタンク２を持ち運ぶことができ、このタンク２内に溜まった水を水撒き等に利用することができる。
【００４５】
以上述べた本実施形態の雨水貯留装置は、タンク２を地面から浮いた状態で取水器１に連結させる連結具３を備えている。そのため、本実施形態の雨水貯留装置では、地面にタンク設置用のスペースを確保し難い場合でも、タンク２を取水器１に連結して、雨水を取り出して貯めることができる。
【００４６】
また、タンク２が取水器１に対して着脱自在なものであるため、少容量のタンク２を用いることで、このタンク２をじょうろ感覚で水撒き等に利用することができる。なお、このとき、タンク２の給水口２０に散水用のアタッチメントを取り付けてもよい。これにより、本実施形態の雨水貯留装置では、タンク２とは別にじょうろやバケツ等の容器を用いなくとも水撒き等を行うことができ、そのためタンク２内の雨水を上記容器に移すといった手間を省くことができる。なお、タンク２内の雨水は、上記容器に移してから、水撒き等に用いてもよい。
【００４７】
また、連結具３は、使用者が手で操作できるものであるため、付け外しの際に、専用の工具が必要とならず、タンク２を取水器１に対して簡単に着脱させることができる。
【００４８】
なお、本実施形態の雨水貯留装置は、建物に設けた複数本の竪樋４のうちの１本の竪樋４にだけ取り付けてもよいし、２本以上の竪樋４に取り付けてもよいし、複数本全ての竪樋４に取り付けてもよい。
【００４９】
上述した実施形態では、連結具３は回転操作によって取水器１に対してタンク２を着脱させるものであったが、連結具３は係止等の他の手段で取水器１に対してタンク２を着脱させるものであってもよい。また、取水器１やタンク２の構造は、上記実施形態に限定されるものではない。
【００５０】
また、取水器１は、建物の外壁に直接固定されるようにしてもよい。例えば、取水器１に建物の外壁に向けて突出する固定部を設けて、この固定部を建物の外壁に固定するようにしてもよい。また、取水器１とは別部材の固定具を用いて、取水器１を建物の外壁に固定するようにしてもよい。このように取水器１を建物の外壁に固定することで、取水器１に連結されるタンク２を取水器１を介して支えることができ、タンク２にかかる荷重を支持するための構成を下竪樋４１等に別途設けなくてもよい。
【００５１】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００５２】
１      取水器
２      タンク
３      連結具
４      竪樋
【図１】
2015001057.tif 000003
【図２】
2015001057.tif 000004
【図３】
2015001057.tif 000005